(57)【要約】  複数のネットワークインタフェース装置とスイッチング装置と接続切り替えスイッチと管理装置とを有する情報処理装置の複数のネットワークインタフェース装置中、一のネットワークインタフェース装置に電源が供給され他のネットワークインタフェース装置への電源の供給が停止された状態でネットワークインタフェース装置宛に外部から送信された所定のデータはスイッチング装置および接続切り替えスイッチにより一のネットワークインタフェース装置に送られる。その結果管理装置に電源オン信号が送信され管理装置は他のネットワークインタフェース装置に電源を供給し情報処理装置を起動する。
2010137112.tif 000002
【特許請求の範囲】
【請求項１】
データを処理する処理装置と、
前記処理装置に接続される第１の回線接続装置と、
前記処理装置に接続される第２の回線接続装置と、
第１の回線を介して第１の端末装置に接続する第１の入出力ポートと、
第２の回線を介して第２の端末装置に接続する第２の入出力ポートと、
第１乃至第３の入出力部を有し、前記第１の回線接続装置に前記第１の入出力部が接続され、前記第２又は第３の入出力部を前記第１の入出力部に接続する第１の選択部と、
第４乃至第６の入出力部を有し、前記第１の入出力ポートに前記第４の入出力部が接続され、前記第２の入出力部に前記第５の入出力部が接続され、前記第５又は第６の入出力部を前記第４の入出力部に接続する第２の選択部と、
第７乃至第９の入出力部を有し、前記第２の入出力ポートに前記第７の入出力部が接続され、前記第２の回線接続装置に前記第８の入出力部が接続され、前記第８又は第９の入出力部を前記第７の入出力部に接続する第３の選択部と、
第１０乃至第１２の入出力部を有し、前記第３の入出力部に前記第１０の入出力部が接続され、前記第６の入出力部に前記第１１の入出力部が接続され、前記第９の入出力部が前記第１２の入出力部に接続され、前記第１１及び第１２の入出力部を前記第１０の入出力部に接続する切換装置とを有することを特徴とする情報処理装置。
【請求項２】
前記情報処理装置はさらに、
前記第１の入出力部が前記第３の入出力部に接続され、前記第４の入出力部が前記第６の入出力部に接続されるとともに、前記第７の入出力部が前記第９の入出力部に接続される第１の接続状態、および
前記第１の入出力部が前記第２の入出力部に接続され、前記第４の入出力部が前記第５の入出力部に接続されるとともに、前記第７の入出力部が前記第８の入出力部に接続される第２の接続状態の内のいずれかの接続状態に
前記第1乃至第３の選択部を制御する管理装置を有することを特徴とする請求項１記載の情報処理装置。
【請求項３】
前記情報処理装置において、
前記第１の回線接続装置には、前記処理装置の待機時にも電源が供給されるとともに、
前記第２の回線接続装置には、前記処理装置の待機時には電源が供給されないことを特徴とする請求項１記載の情報処理装置。
【請求項４】
前記情報処理装置において、
前記第１の回線接続装置は、前記第１の接続状態の場合、
前記第１又は第２の端末装置から起動指示を受信したとき、前記管理装置を起動し、前記管理装置に、前記第２の接続状態にさせることを特徴とする請求項２記載の情報処置装置。
【請求項５】
前記情報処理装置において、
前記第１の回線接続装置は、前記第１の接続状態の場合、
前記第１又は第２の端末装置から起動指示を受信したとき、前記管理装置を起動し、前記管理装置に、前記第２の回線接続装置に電源を供給させることを特徴とする請求項４記載の情報処理装置。
【請求項６】
データを処理する処理装置と、前記処理装置に接続される第１及び第２の回線接続装置と、第１の回線を介して第１の端末装置に接続する第１の入出力ポートと、第２の回線を介して第２の端末装置に接続する第２の入出力ポートと、切換を行う切換装置と、前記第１の回線接続装置と前記切換装置とに接続される第１の選択部と、前記第１の入出力ポートと前記第１の選択部と前記切換装置とに接続される第２の選択部と、前記第２の入出力ポートと前記第２の回線接続装置と前記切換装置とに接続される第３の選択部とを有する情報処理装置の制御方法において、
前記情報処理装置が有する管理装置が前記第１乃至第３の選択部を制御して、前記切換装置を前記第１及び第２の入出力ポートに接続し、前記切換装置を前記第１の回線接続装置に接続することにより、前記第１又は第２の入出力ポートと前記第１の回線接続装置とを導通させる第１の接続状態を確立するステップと、
前記管理装置が前記第１乃至第３の選択部を制御して、前記第１の入出力ポートを前記第１の回線接続装置に接続するとともに、前記第２の入出力ポートを前記第2の回線接続装置に接続する第２の接続状態を確立するステップとを有することを特徴とする情報処理装置の制御方法。
【請求項７】
前記情報処理装置の制御方法において、
前記第１の回線接続装置には、前記処理装置の待機時にも電源が供給されるとともに、
前記第２の回線接続装置には、前記処理装置の待機時には電源が供給されないことを特徴とする請求項６記載の情報処理装置。
【請求項８】
前記情報処理装置の制御方法において、
前記第１の回線接続装置は、前記第１の接続状態の場合、
前記第１又は第２の端末装置から起動指示を受信したとき、前記管理装置を起動し、前記管理装置に、前記第２の接続状態にさせることを特徴とする請求項６記載の情報処置装置の制御方法。
【請求項９】
前記情報処理装置の制御方法において、
前記第１の回線接続装置は、前記第１の接続状態の場合、
前記第１又は第２の端末装置から起動指示を受信したとき、前記管理装置を起動し、前記管理装置に、前記第２の回線接続装置に電源を供給させることを特徴とする請求項８記載の情報処理装置。
【発明の詳細な説明】
【技術分野】
【０００１】
本発明は、情報処理装置および情報処理装置の制御方法に係り、特に複数のネットワークインタフェース装置を有する情報処理装置および当該情報処理装置の制御方法に関する。
【背景技術】
【０００２】
以下に述べる技術が知られている。すなわち、システムは、２つ以上の静的パーティションに区分編成される。パーティションを動作させるリモート電源制御は修正されたウェイク−オン−ＬＡＮの実装により達成される。ここでウェイク−オン−ＬＡＮ（Ｗａｋｅ  ｏｎ  ＬＡＮ、以下同様）は、ＬＡＮ（Ｌｏｃａｌ  Ａｒｅａ  Ｎｅｔｗｏｒｋ，以下同様）経由で、停止中の情報処理装置を遠隔起動させる技術である。またウェイク−オン−ＬＡＮによって停止中の情報処理装置を起動させることを以下ウェイク−オン−ＬＡＮ起動と称する。上記修正されたウェイク−オン−ＬＡＮの実装においては、パーティション内の各ＮＩＣ（Ｎｅｔｗｏｒｋ  Ｉｎｔｅｒｆａｃｅ  Ｃｏｎｔｒｏｌｌｅｒ、以下同様）に関するマジックパケットフィルタが修正される。ここでマジックパケットフィルタとはマジックパケットを追加させる機能を有する装置を意味する。又マジックパケットとはウェイク−オン−ＬＡＮ起動を行うパケットを意味する（以下同様）。上記マジックパケットフィルタの修正により、パーティション内のすべてのノードによってマジックパケットが認識されるようになる。あるいはパーティション内のすべてのノードに共通するマジックパケットが使用される。その結果、パーティション全体にわたる遠隔起動が可能となる。
【先行技術文献】
【特許文献】
【０００３】
【特許文献１】特開２００５−０２０７２８号公報
【特許文献２】特開２０００−２０９２２０号公報
【特許文献３】特開２００８−０８５６８７号公報
【発明の概要】
【発明が解決しようとする課題】
【０００４】
複数の回線接続装置を有する情報処理装置においては、当該複数の回線接続装置の内、いずれの回線接続装置宛に起動指示が送信される場合もあり得る。たとえば電源が供給されていない回線接続装置に起動指示が送信された場合、当該当該回線接続装置は起動指示を受信することができず、したがって情報処理装置は起動されない。このような事態を回避するための方法として、複数の回線接続装置の全てに電源を供給する方法がある。当該方法によればいずれの回線接続装置に起動指示が送信された場合でも送信を受けた回線接続装置が起動指示を受信でき、情報処理装置が起動され得る。ところがこのように全ての回線接続装置に電源を供給すると待機電力が大きくなる。
【課題を解決するための手段】
【０００５】
情報処理装置はデータを処理する処理装置と、処理装置に接続される第１の回線接続装置と、処理装置に接続される第２の回線接続装置とを有する。情報処理装置は更に、第１の回線を介して第１の端末装置に接続する第１の入出力ポートと、第２の回線を介して第２の端末装置に接続する第２の入出力ポートとを有する。情報処理装置は更に、第１乃至第３の入出力部を有し、第１の回線接続装置に第１の入出力部が接続され、第２又は第３の入出力部を第１の入出力部に接続する第１の選択部を有する。情報処理装置は更に、第４乃至第６の入出力部を有し、第１の入出力ポートに第４の入出力部が接続され、第２の入出力部に第５の入出力部が接続され、第５又は第６の入出力部を第４の入出力部に接続する第２の選択部を有する。情報処理装置は更に、第７乃至第９の入出力部を有し、第２の入出力ポートに第７の入出力部が接続され、第２の回線接続装置に第８の入出力部が接続され、第８又は第９の入出力部を第７の入出力部に接続する第３の選択部を有する。情報処理装置は更に、第１０乃至第１２の入出力部を有する切換装置を有する。第３の入出力部に第１０の入出力部が接続され、第６の入出力部に第１１の入出力部が接続され、第９の入出力部が第１２の入出力部に接続される。切換装置は第１１又は第１２の入出力部を第１０の入出力部に接続する。
【発明の効果】
【０００６】
本発明によれば第１乃至第３の選択部を制御することにより、切換装置を介して第１の入出力ポートを第１の回線接続装置に接続することができるとともに、切換装置を介して第２の入出力ポートを第１の回線接続装置に接続することができる。更に第１乃至第３の選択部を制御することにより、切換装置を介さずに第１および第２の入出力ポートを夫々第１および第２のの回線接続装置に接続することもできる。待機時には第１乃至第３の選択部を制御して切換装置を介して第１の入出力ポートを第１の回線接続装置に接続するとともに、切換装置を介して第２の入出力ポートを第１の回線接続装置に接続すればよい。その結果、第１および第２の端末装置のうち、いずれの端末装置から送信された起動指示であっても、対応する第１或いは第２の入出力ポートを介して第１の回線接続装置が受信することができる。従って待機電力は第１の回線接続装置のみに供給すればよい。又処理装置の起動後には、第１乃至第３の選択部を制御することにより切換装置を介さずに第１および第２の入出力ポートを夫々第１および第２のの回線接続装置に接続すればよい。従って待機電力を効果的に低減可能である。
【図面の簡単な説明】
【０００７】
【図１】参考例の構成を示すブロック図である。
【図２】実施例１の構成を示すブロック図である。
【図３】実施例１の動作の概要を説明するブロック図（その１）である。
【図４】実施例１の動作の概要を説明するブロック図（その２）である。
【図５】図２に示されるスイッチングハブの内部構成例を示すブロック図である。
【図６】図５に示されるパケット変換器の機能を説明する図である。
【図７】実施例１の動作例について説明するフローチャートである。
【図８】図７のフローチャートの説明のブロック図である（その１）。
【図９】図７のフローチャートの説明のブロック図である（その２）。
【図１０】図７のフローチャートの説明のブロック図である（その３）。
【図１１】図７のフローチャートの説明のブロック図である（その４）。
【図１２】図７のフローチャートの説明のブロック図である（その５）。
【図１３】実施例２の構成を説明するブロック図である。
【図１４】実施例１の他の使用方法の例について説明するブロック図である。
【図１５】実施例３の構成について説明するブロック図である。
【図１６】実施例４の構成について説明するブロック図である。
【図１７】スイッチングハブ群を使用する場合について説明するための図である。
【発明を実施するための形態】
【０００８】
実施例は複数のネットワークインタフェース装置を搭載した情報処理装置であって、いわゆるウェイク−オン−ＬＡＮ起動の機能を有する情報処理装置およびその制御方法に関する。
【０００９】
図１は参考例の情報処理装置の構成を示す。参考例の情報処理装置１１００はサーバであり、システムボード１１０とＩ／Ｏ（Ｉｎｐｕｔ／Ｏｕｔｐｕｔ，以下同様）ボード１１２０とを有する。システムボード１１０にはＣＰＵ（Ｃｅｎｔｒａｌ  Ｐｒｏｃｅｓｓｉｎｇ  Ｕｎｉｔ、以下同様）１１１とバスインタフェーススイッチ１１２とが含まれる。ＣＰＵ１１１は演算処理装置であり、サーバとして外部に演算処理機能を提供する。バスインタフェーススイッチ１１２はＣＰＵ１１１に接続されるバスと後述するＮＩＣ１２１〜１２４の各々に接続されるバスとを相互に通信可能な態様で接続するスイッチである。
【００１０】
情報処理装置１１００はＭＭＢ（ＭａｎａｇｅＭｅｎｔ  Ｂｏａｒｄ，以下同様）１１５０を有する。ＭＭＢ１１５０は情報処理装置１１００の全体を管理するサービスプロセッサ（ＳＶＰ：ＳｅｒＶｉｃｅ  Ｐｒｏｃｅｓｓｏｒ）の一種である。
【００１１】
情報処理装置１１００は更に常駐電源１３１を有する。ここで常駐電源１３１は、常時、後述するＮＩＣ１２１〜１２４に対し常時電源を供給する。ここで「常時」とは、情報処理装置１１００が稼働状態にある間とスタンバイ状態にある間とを含む時間帯を意味する。又「稼働状態」とは情報処理装置１１００がサーバとしての機能を発揮する状態を意味し、スタンバイ状態とは情報処理装置１１００がサーバとしての機能を発揮しない状態を意味する。
【００１２】
上記Ｉ／Ｏボード１１２０は上記複数のネットワークインタフェース装置としての、４台のオンボードＮＩＣ（Ｎｅｔｗｏｒｋ  Ｉｎｔｅｒｆａｃｅ  Ｃｏｎｔｒｏｌｌｅｒ：ネットワークインタフェースコントローラ、以下、「ＮＩＣ」と称する）１２１，１２２，１２３，１２４を有する。当該ＮＩＣ１２１〜１２４は各々、ウェイク−オン−ＬＡＮ起動の機能を有するＮＩＣとすることができる。
【００１３】
情報処理装置１１００はＬＡＮ経由で複数の端末装置としてのパーソナルコンピュータ１〜９のそれぞれと相互に通信可能な態様で接続される。ＬＡＮは４つのセグメント２１，２２，２３，２４を有する。情報処理装置１１００はセグメント２１を介してパーソナルコンピュータ１、２と接続され、セグメント２２を介してパーソナルコンピュータ３，４と接続される。また情報処理装置１１００はセグメント２３を介してパーソナルコンピュータ５．６，７と接続され、セグメント２４を介してパーソナルコンピュータ８，９と接続される。
【００１４】
前記４台のＮＩＣ１２１〜１２４のうち、ＮＩＣ１２１がセグメント２１を介してパーソナルコンピュータ１，２と接続される。同様にＮＩＣ１２２がセグメント２２を介してパーソナルコンピュータ３、４と接続される。同様にＮＩＣ１２３がセグメント２３を介してパーソナルコンピュータ５．６，７と接続される。同様にＮＩＣ１２４がセグメント２４を介してパーソナルコンピュータ８，９と接続される。
【００１５】
ここで情報処理装置１１００がサービスを提供するサーバとしての機能を発揮する稼働状態にある間、パーソナルコンピュータ１〜９のいずれかから対応するセグメント２１〜２４を介し、所定の演算処理の要求を受けた場合を想定する。当該要求は対応するＮＩＣ１２１〜１２４のいずれかおよびバスインタフェーススイッチ１１２を介し、ＣＰＵ１１１に転送される。ＣＰＵ１１１は当該要求に応じ所定の演算処理を行い、処理結果を出力する。当該処理結果は上記要求の転送経路を逆方向に辿り要求元のパーソナルコンピュータに返信される。
【００１６】
上述した参考例の情報処理装置１１００における上記ウェイク−オン−ＬＡＮ起動の動作例について説明する。情報処理装置１１００はＬＡＮ経由で接続されるパーソナルコンピュータ１〜９のいずれからも演算処理の要求を受けていない場合、上記スタンバイ状態にある。当該スタンバイ状態にあっても上記の如く、ＮＩＣ１２１〜１２４のそれぞれには常駐電源１３１から電源が供給される。これは上記ウェイク−オン−ＬＡＮ起動に備えるためである。
【００１７】
ここで情報処理装置１１００がスタンバイ状態にある間、パーソナルコンピュータ１〜９のうちのいずれか、たとえばパーソナルコンピュータ３が情報処理装置１１００をウェイク−オン−ＬＡＮ起動させる場合を想定する。この場合パーソナルコンピュータ３は、いわゆるマジックパケットを情報処理装置１１００のＮＩＣ１２２宛に送信する。マジックパケットとはウェイク−オン−ＬＡＮ起動させる場合、当該マジックパケットはセグメント２を介しＮＩＣ１２２に受信される。ＮＩＣ１２２はウェイク−オン−ＬＡＮ起動の機能により、電源オン信号をＭＭＢ１１５０に対し発信する。ＭＭＢ１１５０は電源オン信号を受けて情報処理装置１１００を起動する。その結果情報処理装置１１００はサーバとしての機能を発揮し得る状態、すなわち上記稼働状態になる。稼働状態ではパーソナルコンピュータ１〜９からの要求に応じ、ＣＰＵ１１１による演算処理が実行され得る。
【００１８】
このように参考例の情報処理装置１１００では、スタンバイ状態において４台のＮＩＣ１２１〜１２４に常駐電源１３１から電源が供給される。このため、パーソナルコンピュータ１〜９のうちのいずれのパーソナルコンピュータからマジックパケットが発信されても、４台のＮＩＣ１２１〜１２４中の対応するＮＩＣが当該マジックパケットを受信し、上記電源オン信号を発信し得る。その結果ウェイク−オン−ＬＡＮ起動が実現される。
【００１９】
次に図２乃至１２とともに、実施例１の情報処理装置１００について説明する。
【００２０】
図２に示す如く、実施例１の情報処理装置１００は上記参考例の情報処理装置１１００と略同様の構成を有する。実施例１の情報処理装置１００が参考例の情報処理装置１１００と同一の構成、同一の機能を有する部分には同一の符号を付し、重複する説明を適宜省き、異なる点について重点的に説明する。
【００２１】
実施例１の情報処理装置１００は図２に示す如く、システムボード１１０とＩ／Ｏボード１２０とを有する。Ｉ／Ｏボード１２０が図１とともに上記した参考例のＩ／Ｏボード１１２０と異なる点は以下の通りである。すなわち実施例１のＩ／Ｏボード１２０には、スイッチングハブ１２８および接続切り替えスイッチＳＷ０，ＳＷ１，ＳＷ２，ＳＷ３，ＳＷ３が挿入される。
【００２２】
また実施例１の情報処理装置１００はＭＭＢ１５０を有する。ＭＭＢ１５０が上記参考例の情報処理装置１１００のＭＭＢ１１５０と相違する点は、上記スイッチングハブ１２８および接続切り替えスイッチＳＷ０，ＳＷ１，ＳＷ２，ＳＷ３，ＳＷ３を制御する機能を有する点である。
【００２３】
スイッチングハブ１２８は接続切り替えスイッチＳＷ０を介し、ＮＩＣ１２１に接続される。またスイッチングハブ１２８は接続切り替えスイッチＳＷ１を介し、ＮＩＣ１２１を対応するセグメント２１に接続するＬＡＮコネクタＴ１に接続される。同様にスイッチングハブ１２８は接続切り替えスイッチＳＷ２を介し、ＮＩＣ１２２を対応するセグメント２２に接続するＬＡＮコネクタＴ２に接続される。同様にスイッチングハブ１２８は接続切り替えスイッチＳＷ３を介し、ＮＩＣ１２３を対応するセグメント２３に接続するＬＡＮコネクタＴ３に接続される。同様にスイッチングハブ１２８は接続切り替えスイッチＳＷ４を介し、ＮＩＣ１２４を対応するセグメント２４に接続するＬＡＮコネクタＴ４に接続される。
【００２４】
また接続切り替えスイッチＳＷ０はＮＩＣ１２１の接続先を、スイッチングハブ１２８と接続切り替えスイッチＳＷ１との間で切り替える。接続切り替えスイッチＳＷ１はＮＩＣ１２１用のＬＡＮコネクタＴ１の接続先を、スイッチングハブ１２８と接続切り替えスイッチＳＷ０との間で切り替える。接続切り替えスイッチＳＷ２はＮＩＣ１２２用のＬＡＮコネクタＴ２の接続先を、スイッチングハブ１２８とＮＩＣ１２２との間で切り替える。接続切り替えスイッチＳＷ３はＮＩＣ１２３用のＬＡＮコネクタＴ３の接続先を、スイッチングハブ１２８とＮＩＣ１２３との間で切り替える。接続切り替えスイッチＳＷ４はＮＩＣ１２４用のＬＡＮコネクタＴ４の接続先を、スイッチングハブ１２８とＮＩＣ１２４との間で切り替える。
【００２５】
またＮＩＣ１２２、１２３，１２４の電源は通常電源１３２から供給され、ＮＩＣ１２１の電源は常駐電源１３１から供給される。又スイッチングハブ１２８の電源も常駐電源１３１から供給される。
【００２６】
次に実施例１の情報処理装置１００の動作の概念につき、図３，図４とともに説明する。なお図３，４の構成は上記した図２の構成と同様であるが、説明の便宜上各セグメント２１〜２４が直線で表現される。上記直線２１〜２４はそれぞれがＬＡＮに含まれるセグメント２１〜２４を示す。また各セグメント２１〜２４に接続されるパーソナルコンピュータはセグメント毎に１台とされ、計４台のパーソナルコンピュータＰＣ１、ＰＣ２，ＰＣ３，ＰＣ４がそれぞれセグメント２１〜２４に接続されるものとする。
【００２７】
図３は情報処理装置１００が上記スタンバイ状態にある場合を示している。当該スタンバイ状態では、常駐電源１３１がＮＩＣ１２１とスイッチングハブ１２８とに電源を供給し、通常電源１３２は電源の供給を停止している。よって他の３台のＮＩＣ１２２〜１２４には電源は供給されておらず、したがって当該他の３台のＮＩＣ１２２〜１２４はパケットを受信することができない。ここでＮＩＣ１２１は一のネットワークインタフェース装置に対応し、他の３台のＮＩＣ１２２〜１２４は他のネットワークインタフェース装置に対応するものとすることができる。
【００２８】
またスタンバイ状態では、接続切り替えスイッチＳＷ０はＮＩＣ１２１をスイッチングハブ１２８に接続し、接続切り替えスイッチＳＷ１〜ＳＷ４はそれぞれ、ＬＡＮコネクタＴ１〜Ｔ４をスイッチングハブ１２８に接続している。
【００２９】
ここで、当該スタンバイ状態において４個のセグメント２１〜２４に接続される４台のパーソナルコンピュータＰＣ１〜ＰＣ４の内のいずれか１台のパーソナルコンピュータがマジックパケットを送信した場合を想定する。マジックパケットは所定のデータとすることができる。マジックパケットは当該マジックパケットの送信元の前記１台のパーソナルコンピュータに対応するセグメントおよびＬＡＮコネクタを介し、情報処理装置１００に到達する。説明の便宜上、上記マジックパケットを送信したパーソナルコンピュータをパーソナルコンピュータＰＣ２とする。その場合マジックパケットは対応するセグメント２２およびＬＡＮコネクタＴ２を介し、情報処理装置１００に到達する。その後マジックパケットはコネクタＴ２から接続切り替えスイッチＳＷ２を介し、スイッチングハブ１２８に到達する。スイッチングハブ１２８はマジックパケットの宛先を常駐電源１３１で稼働中のＮＩＣ１２１宛に変換し、当該宛先変換後のマジックパケットを接続切り替えスイッチＳＷ０に送信する。当該宛先変換後のマジックパケットは接続切り替えスイッチＳＷ０を介し、当該宛先変換後のマジックパケットの宛先であるＮＩＣ１２１に到達する。上記の如くスタンバイ状態でもＮＩＣ１２１には常駐電源１３１により電源が供給されて稼働される。その結果ＮＩＣ１２１は当該到達したマジックパケットを受信して処理することができる。上記の如く、各ＮＩＣ１２１〜１２４はウェイク−オン−ＬＡＮ起動の機能を有する。このためＮＩＣ１２１は当該マジックパケットを受信するとウェイク−オン−ＬＡＮ起動により電源オン信号をＭＭＢ１５０に対し発信する。ＭＭＢ１５０は電源オン信号を受信すると情報処理装置１００の各ボードの初期設定動作を開始し、情報処理装置１００の起動を開始する。そして図４に示される如く、ＭＭＢ１５０は通常電源１３２によるＮＩＣ１２２〜１２４への電源の供給を開始する。その結果常駐電源１３１から電源が供給されて稼働中のＮＩＣ１２１以外の３台のＮＩＣ１２２〜１２４の各々も、通常電源１３２から電源が供給されて稼働を開始する。
【００３０】
更にＭＭＢ１５０の制御下、５個の接続切り替えスイッチＳＷ０〜ＳＷ４が切り替わる。すなわち、接続切り替えスイッチＳＷ０はＮＩＣ１２１を接続切り替えスイッチＳＷ１に接続し、接続切り替えスイッチＳＷ１はＮＩＣ１２１用のＬＡＮコネクタＴ１を接続切り替えスイッチＳＷ０に接続する。また他の３個の接続切り替えスイッチＳＷ２〜ＳＷ４は、それぞれＬＡＮコネクタＴ２〜Ｔ４を対応するＮＩＣ１２２〜１２４に接続する。
【００３１】
その結果、パーソナルコンピュータＰＣ１はセグメント２１，ＬＡＮコネクタＴ１，接続切り替えスイッチＳＷ１，接続切り替えスイッチＳＷ０を介し、ＮＩＣ１２１と接続される。又パーソナルコンピュータＰＣ２はセグメント２２，ＬＡＮコネクタＴ２，接続切り替えスイッチＳＷ２を介し、ＮＩＣ１２２と接続される。同様にパーソナルコンピュータＰＣ３はセグメント２３，ＬＡＮコネクタＴ３，接続切り替えスイッチＳＷ３を介し、ＮＩＣ１２３と接続される。同様にパーソナルコンピュータＰＣ４は、セグメント２４，ＬＡＮコネクタＴ４，接続切り替えスイッチＳＷ４を介し、ＮＩＣ１２４と接続される。その結果４台のパーソナルコンピュータＰＣ１〜ＰＣ４はそれぞれ対応するＮＩＣ１２１〜１２４およびシステムボード１１０のバスインタフェーススイッチ１１２を介し、ＣＰＵ１１１と接続される。その結果４台のパーソナルコンピュータＰＣ１〜ＰＣ４は個別にＣＰＵ１１１と接続され、ＣＰＵ１１１に対し演算処理の要求を行い、処理結果を受け取ることができる。すなわち情報処理装置１００は稼働状態となる。
【００３２】
また情報処理装置１００の稼働状態ではスイッチングハブ１２８に対する常駐電源１３１からの電源の供給は停止される。情報処理装置１００の稼働状態ではスイッチングハブ１２８の機能は不要だからである。ここでスイッチングハブ１２８の機能とは、ＮＩＣ１２１宛のマジックパケットをＮＩＣ１２１に送信するとともに、ＮＩＣ１２２〜１２４のいずれか宛のマジックパケットの宛先をＮＩＣ１２１に変換しＮＩＣ１２１に送信する機能である。
【００３３】
上記の如く、情報処理装置１００が稼働状態になると、実施例１では、４台のＮＩＣ１２１〜１２４に電源が供給され、スイッチングハブ１２８への電源の供給は停止される。又、情報処理装置１００の稼働状態では、各ＬＡＮコネクタＴ１〜Ｔ４はそれぞれ対応するＮＩＣ１２１〜１２４に接続される。したがって稼働状態の情報処理装置１００の消費電力は参考例の情報処理装置１１００と同様となり且つ、参考例の情報処理装置１１００と同様の接続状態となる。
【００３４】
上記の如く、実施例１の情報処理装置１００では、スタンバイ状態では４台のＮＩＣ１２１〜１２４のうち、１台のＮＩＣ１２１のみに対し常駐電源１３１から電源が供給され、他の３台のＮＩＣ１２２〜１２４には電源は供給されない。そして４台のＮＩＣ１２１〜１２４にそれぞれ対応する４台のパーソナルコンピュータＰＣ１〜ＰＣ４のいずれのパーソナルコンピュータからマジックパケットが発信された場合でも、マジックパケットはスイッチングハブ１２８に送られる。すなわちマジックパケットは接続切り替えスイッチＳＷ１〜ＳＷ４により、スイッチングハブ１２８に送られる。スイッチングハブ１２８はマジックパケットの宛先を常駐電源１３１で稼働されるＮＩＣ１２１宛に変換し、ＮＩＣ１２１に送る。したがってマジックパケットは稼働中のＮＩＣ１２１により受信され、ＮＩＣ１２１はＭＭＢ１５０に対し電源オン信号を送信する。よってウェイク−オン−ＬＡＮ起動が何ら支障なく実行される。したがって実施例１によれば、スタンバイ状態における情報処理装置１００の消費電力（待機電力、以下同様）を効果的に削減可能であるとともに、ウェイク−オン−ＬＡＮ起動が何ら支障なく実行され得る。
【００３５】
図５は上記スイッチングハブ１２８の内部構造例を示すブロック図である。スイッチングハブ１２８は、５個のポートＰ１〜Ｐ５を有する。５個のポートＰ１〜Ｐ５は、それぞれ上記５個の接続切り替えスイッチＳＷ０、ＳＷ１，ＳＷ２，ＳＷ３，ＳＷ４に接続される。スイッチングハブ１２８は、それぞれがポートＰ１〜Ｐ５に接続された物理層処理部５１〜５５および媒体アクセス制御部４１〜４５を有する。スイッチングハブ１２８は更に、媒体アクセス制御部４１〜４５が接続された算術論理演算装置（ＡＬＵ：Ａｒｉｔｈｍｅｔｉｃ  ａｎｄ  Ｌｏｇｉｃ  Ｕｎｉｔ、以下同様）３６を有する。スイッチングハブ１２８は更に、算術論理演算装置３６に接続されたバッファメモリ３１，パケットフィルタ３２，ＭＡＣ（Ｍｅｄｉａ  Ａｃｅｓｓ  Ｃｏｎｔｒｏｌ）アドレスフィルタ３３、パケット変換器３４およびＭＡＣアドレステーブル３５を有する。
【００３６】
上記構成のスイッチングハブ１２８では、送受信するパケットに対し、物理層処理部５１〜５５は物理層の処理を行い、媒体アクセス制御部４１〜４５は媒体アクセス制御処理を行う。算術論理演算装置３６は送受信するパケットに対し、種々の演算処理を行う。バッファメモリ３１は適宜データのバッファリングを行う。パケットフィルタ３２は受信されたパケットがマジックパケットか否かを判定する。ＭＡＣアドレスフィルタ３３は受信されたパケットに格納されるＭＡＣアドレスが情報処理装置１００に含まれる４台のＮＩＣ１２１〜１２４のいずれかのＭＡＣアドレスか否かを判定する。
【００３７】
パケット変換器３４はマジックパケットに格納されるＭＡＣアドレスを変換する。すなわちパケット変換器３４は受信されたマジックパケットが３台のＮＩＣ１２２〜１２４のうちのいずれかのＭＡＣアドレスである場合、当該ＭＡＣアドレスを上記スタンバイ状態でも稼働中のＮＩＣ１２１のＭＡＣアドレスに変換する。ここで上記３台のＮＩＣ１２２〜１２４は、情報処理装置１００に含まれる４台のＮＩＣ１２１〜１２４のうち、スタンバイ状態でも常駐電源１３１で稼働されるＮＩＣ１２１以外のＮＩＣであり、スタンバイ状態では稼働されないＮＩＣである。
【００３８】
図６は上記の如くスイッチングハブ１２８のパケット変換器３４が実行するマジックパケットのＭＡＣアドレスの変換機能を説明する図である。図６中、左側のマジックパケットＭＰのデータ部分には、所定のアドレス"ＦＦＦＦＦＦＦＦＦＦＦＦ"に引き続き、ＭＡＣアドレス"ＦＦＥＥＤＤＣＣＢＢＡＡ"が１６個格納される。
【００３９】
ここでは一例として、このようにパケットのデータ部分に、所定のアドレスに引き続いて１６個のＭＡＣアドレスが格納されたパケットがマジックパケットとして識別されるものとする。また説明の便宜上、上記ＭＡＣアドレス"ＦＦＥＥＤＤＣＣＢＢＡＡ"は、上記スタンバイ状態で稼働中のＮＩＣ１２１以外の３台のＮＩＣ１２２〜１２４のうち、ＮＩＣ１２２のＭＡＣアドレスであるものとする。
【００４０】
この場合、パケット変換器３４は上記ＭＡＣアドレスを変換する。図６の右側に示すマジックパケットＭＰはＭＡＣアドレスが変換されたマジックパケットＭＰを示す。図６の右側に示すマジックパケットＭＰでは、所定のアドレス"ＦＦＦＦＦＦＦＦＦＦＦＦ"に引き続き、ＭＡＣアドレス"６６５５４４３３２２１１"が１６個格納される。上記ＭＡＣアドレス"６６５５４４３３２２１１"は上記スタンバイ状態で稼働中のＮＩＣ１２１のＭＡＣアドレスであるものとする。
【００４１】
このようにパケット変換器２４は、受信されたパケットのデータ部分にスタンバイ状態で稼働中のＮＩＣ１２１以外の３台のＮＩＣ１２２〜１２４のいずれかのＭＡＣアドレスが格納されていた場合、当該ＭＡＣアドレスを変換する。すなわち当該ＭＡＣアドレスを上記スタンバイ状態で稼働中のＮＩＣ１２１のＭＡＣアドレスに変換する。すなわちパケット変換器２４は、受信されたパケットの宛先がスタンバイ状態で稼働中のＮＩＣ１２１以外の３台のＮＩＣ１２２〜１２４のいずれかであった場合、当該宛先を上記スタンバイ状態で稼働中のＮＩＣ１２１宛に変換する。
【００４２】
図５に示されるＭＡＣアドレステーブル３５には予め情報処理装置１００に含まれる４台のＮＩＣ１２１〜１２４のそれぞれのＭＡＣアドレスが格納される。ＭＡＣアドレスフィルタ３３はＭＡＣアドレステーブル３５を参照することにより、受信されたパケットが上記４台のＮＩＣ１２１〜１２４のいずれか宛であるか否かを判定する。
【００４３】
図７乃至１２とともに、一例として、上記パーソナルコンピュータＰＣ２がマジックパケットを送信し実施例１の情報処理装置１００をウェイク−オン−ＬＡＮ起動する際の動作の流れの例を説明する。ここで現在情報処理装置１００はスタンバイ状態にあるものとする。すなわち情報処理装置１００中、スタンバイ状態では常駐電源１３１からＮＩＣ１２１およびスイッチングハブ１２８に対し電源が供給される。また５個の接続切り替えスイッチＳＷ０〜ＳＷ４の接続は以下の通りとする。すなわち図８に示す如く、接続切り替えスイッチＳＷ０はＮＩＣ１２１をスイッチングハブ１２８に接続し、接続切り替えスイッチＳＷ１はＮＩＣ１２１用のＬＡＮコネクタＴ１をスイッチングハブ１２８に接続している。又接続切り替えスイッチＳＷ２はＮＩＣ１２２用のＬＡＮコネクタＴ２をスイッチングハブ１２８に接続し、接続切り替えスイッチＳＷ３はＮＩＣ１２３用のＬＡＮコネクタＴ３をスイッチングハブ１２８に接続している。同様に接続切り替えスイッチＳＷ４はＮＩＣ１２４用のＬＡＮコネクタＴ４をスイッチングハブ１２８に接続している。
【００４４】
上記状態において、まず図７のステップＳ１にて、パーソナルコンピュータＰＣ２が情報処理装置１００のＮＩＣ１２２宛にマジックパケットを送信したとする。その結果ステップＳ２で、図８に示す如く、対応する接続切り替えスイッチＳＷ２を介し、スイッチングハブ１２８が当該マジックパケットを受信する。
【００４５】
スイッチングハブ１２８は、受信したパケットがマジックパケットか否かを判定する（ステップＳ３）。より具体的には、上記パケットフィルタ３２が受信したパケットのデータ部分に  FFFFFFFFFFFF+(ＭＡＣアドレス×16)が含まれているか否かを判定する。受信したパケットのデータ部分に  FFFFFFFFFFFF+(ＭＡＣアドレス×16)が含まれている場合（ステップＳ３のＹＥＳ），受信したパケットはマジックパケットであるため、ステップＳ４に移行する。受信したパケットのデータ部分に  FFFFFFFFFFFF+(ＭＡＣアドレス×16)が含まれていない場合（ステップＳ３のＮＯ），受信したパケットはマジックパケットではないため、処理を終了する。
【００４６】
ステップＳ４でスイッチングハブ１２８は、受信したパケットが当該情報処理装置１００に含まれる４台のＮＩＣ１２１〜１２４のいずれかのＮＩＣ宛か否かを判定する。より具体的には、上記ＭＡＣアドレスフィルタ３３が、パケットのデータ部分に含まれる上記ＭＡＣアドレスが予めＭＡＣアドレステーブル３５に登録されるＭＡＣアドレスであるか否かを判定する。判定の結果、パケットのデータ部分に含まれる上記ＭＡＣアドレスが予めＭＡＣアドレステーブル３５に登録されるＭＡＣアドレスであった場合（ステップＳ４のＹＥＳ），ステップＳ５に移行する。判定の結果、パケットのデータ部分に含まれる上記ＭＡＣアドレスが予めＭＡＣアドレステーブル３５に登録されるＭＡＣアドレスでなかった場合（ステップＳ４のＮＯ），処理を終了する。当該パケットは情報処理装置１００内のＮＩＣ１２１〜１２４のいずれかを宛先としたパケットではないためである。
【００４７】
ステップＳ５で、スイッチングハブ１２８のパケット変換器３４は、受信したパケットの宛先がスタンバイ状態で稼働中のＮＩＣ１２１でなかった場合、当該宛先を変換する。この場合パケット変換器３４は受信したパケットの宛先を、スタンバイ状態で稼働中のＮＩＣ１２１宛に変換する。他方受信したパケットの宛先がスタンバイ状態で稼働中のＮＩＣ１２１宛であった場合、パケット変換器３４は当該宛先を変換しない。この場合、受信したパケットの宛先は維持される。
【００４８】
ここで当該パケットの元の宛先であるＮＩＣ１２２は、情報処理装置１００がスタンバイ状態であるため、通常電源１３２からの電源の供給が停止されて稼働されておらず、パケットを受信して処理することができない。なお上記の如くパケット変換器３４により宛先がＮＩＣ１２１宛に変換されたマジックパケットを以下「変換マジックパケット」と称する。また説明の便宜上、上記の如く受信したマジックパケットの宛先がスタンバイ状態で稼働中のＮＩＣ１２１宛であり当該パケットの宛先が維持された場合の当該パケットも、「変換マジックパケット」と称する。
【００４９】
ステップＳ６でスイッチングハブ１２８は変換マジックパケットをＮＩＣ１２１へ送信する。ステップＳ７で図９に示される如く、接続切り替えスイッチＳＷ０を介し、ＮＩＣ１２１が変換マジックパケットを受信する。次にステップＳ８にて、ＮＩＣ１２１は上記ウェイク−オン−ＬＡＮ起動の機能により、図１０に示す如く、ＭＭＢ１５０に対し、電源オン信号を送信する。
【００５０】
ＭＭＢ１５０は電源オン信号を受信するとステップＳ９で、情報処理装置１００の各ボードの初期設定動作を開始し、情報処理装置１００の起動を開始する。またＭＭＢ１５０は情報処理装置１００を起動する間、図１１に示す如く、スイッチングハブ１２８に対する常駐電源１３１からの電源の供給を停止する。他方ＮＩＣ１２１に対する常駐電源１３１からの電源の供給は維持される。更に、ＭＭＢ１５０は５個の接続切り替えスイッチＳＷ０〜ＳＷ４の接続を切り替える。
【００５１】
すなわち、接続切り替えスイッチＳＷ０はＮＩＣ１２１を接続切り替えスイッチＳＷ１に接続し、接続切り替えスイッチＳＷ１はＮＩＣ１２１用のＬＡＮコネクタＴ１を接続切り替えスイッチＳＷ０に接続する。又接続切り替えスイッチＳＷ２はＮＩＣ１２２用のＬＡＮコネクタＴ２をＮＩＣ１２２に接続し、接続切り替えスイッチＳＷ３はＮＩＣ１２３用のＬＡＮコネクタＴ３をＮＩＣ１２３に接続する。同様に接続切り替えスイッチＳＷ４はＮＩＣ１２４用のＬＡＮコネクタＴ４をＮＩＣ１２４に接続する。
【００５２】
次にＭＭＢ１５０はステップＳ１１で、図１２に示す如く、ＮＩＣ１２２〜１２４に対する通常電源１３２による電源の供給を開始する。このようにして情報処理装置１００は稼働状態となり、情報処理装置１００の起動が完了する。
【００５３】
実施例１では情報処理装置１００は４台のＮＩＣ１２１〜１２４を有する構成であったが、実施例は当該構成に限定されず、３台以下、或いは５台以上のＮＩＣを有する構成であってもよい。
【００５４】
図１３は実施例２の情報処理装置１００Ｘのブロック図である。
【００５５】
実施例２の情報処理装置１００Ｘは上記した実施例１の情報処理装置１００に比較し、ＮＩＣの台数がＮ台とされ、ＮＩＣ１２１，１２２，...，１２Ｎを有する点で相違する。ここでＮは２以上の整数であればよい。その結果、対応するＬＡＮコネクタもＮ個、Ｔ１，Ｔ２，...，ＴＮ設けられる。また接続切り替えスイッチとして、接続切り替えスイッチＳＷ０の他、Ｎ個、すなわち接続切り替えスイッチＳＷ１、ＳＷ２，...，ＳＷＮが設けられる。また上記ＮＩＣの台数に応じ、外部に接続されセグメントの数もＮ個とされ、セグメント２１，２２，...，２Ｎが接続される。そしてＮ個のセグメントのそれぞれに対し、パーソナルコンピュータＰＣ１、ＰＣ２，...，ＰＣＮが接続される。各セグメントに接続し得るパーソナルコンピュータの台数は１台に限られず、図２に示した例の如く、各一のセグメントに対し、複数台のパーソナルコンピュータを接続可能である。
【００５６】
実施例２の情報処理装置１００Ｘの動作は上記した実施例１の情報処理装置１００の動作と同様であり、重複する説明を適宜省く。実施例１の場合、ＮＩＣ１２１の他、３台のＮＩＣ１２２〜１２４が設けられていた。これに対し実施例２の場合、ＮＩＣ１２１の他、（Ｎ−１）台のＮＩＣ１２２〜１２Ｎが設けられている。ＮＩＣ１２１は実施例１のＮＩＣ１２１と同様の動作を行う。また接続切り替えスイッチＳＷ０は実施例１の接続切り替えスイッチＳＷ０と同様の動作を行う。またＮ台のＮＩＣ１２１〜１２Ｎ用のＮ個の接続切り替えスイッチＳＷ１〜ＳＷＮの各々は、実施例１の４台のＮＩＣ１２１〜１２４用の４個の接続切り替えスイッチＳＷ１〜ＳＷ４の各々と同様の動作を行う。
【００５７】
又実施例２の情報処理装置１００Ｘのスタンバイ状態では、ＮＩＣ１２１とスイッチングハブ１２８Ｘが常駐電源１３１で電源が供給されて稼働され、残りの（Ｎ−１）台のＮＩＣ１２２〜１２Ｎは電源が供給されず稼働されない。
【００５８】
又実施例２のスイッチングハブ１２８Ｘは、実施例１のスイッチングハブ１２８と異なり、接続切り替えスイッチＳＷ０の他、Ｎ個の接続切り替えスイッチＳＷ１〜ＳＷＮと接続される。実施例２のスイッチングハブ１２８Ｘはスタンバイ状態において、Ｎ台のパーソナルコンピュータＰＣ１〜ＰＣＮの内のいずれかから送信されＮ個の接続切り替えスイッチＳＷ１〜ＳＷＮのうちの対応するものを介してマジックパケットを受信する。そして実施例１の場合の図７のステップＳ３，Ｓ４同様、受信したパケットがマジックパケットであることを確認し、更に、Ｎ台のＮＩＣ１２２〜１２Ｎのいずれか宛のパケットであることを確認する。実施例２のスイッチングハブ１２８Ｘは当該確認の後、実施例１の場合同様、マジックパケットを、常駐電源１３１で稼働中のＮＩＣ１２１に送信し、ＮＩＣ１２１はウェイク−オン−ＬＡＮ起動の機能により、ＭＭＢ１５０に電源オン信号を送信する。ＭＭＢ１５０は電源オン信号を受信すると実施例１の場合同様、情報処理装置１００Ｘの各ボードの初期設定動作を開始し、情報処理装置１００Ｘの起動を開始する。
【００５９】
そして実施例１の場合同様、ＭＭＢ１５０は（Ｎ＋１）個の接続切り替えスイッチＳＷ０、ＳＷ１，ＳＷ２，...，ＳＷＮの接続を切り替える。すなわち、接続切り替えスイッチＳＷ０の接続をスイッチングハブ１２８Ｘから接続切り替えスイッチＳＷ１に切り替える。また接続切り替えスイッチＳＷ１の接続を、スイッチングハブ１２８Ｘから接続切り替えスイッチＳＷ０に切り替える。同様に接続切り替えスイッチＳＷ２の接続を、スイッチングハブ１２８ＸからＮＩＣ１２２に切り替える。以下同様に、接続切り替えスイッチＳＷ２〜ＳＷＮの各々の接続を、スイッチングハブ１２８ＸからＮＩＣ１２２〜ＮＩＣ１２Ｎの各々に切り替える。その結果、セグメント２１は、接続切り替えスイッチＳＷ１および接続切り替えスイッチＳＷ０を介し、ＮＩＣ１２１に接続される。また他の（Ｎ−１）個のセグメント２２〜２Ｎのそれぞれは、（Ｎ−１）個の接続切り替えスイッチＳＷ２〜ＳＷＮを介し、（Ｎ−１）個のＮＩＣ１２２〜１２Ｎに接続される。
【００６０】
図１４は実施例１の他の使用方法の例を説明する図である。図１４の構成は図２，図３，図４等とともに上記した実施例１の構成と同様である。但し使用方法が図３乃至図１２とともに上記したものと異なる。図１４の使用方法の例では、予め情報処理装置１００をウェイク−オン−ＬＡＮ起動するＬＡＮコネクタを、ＬＡＮコネクタＴ１に限定しておく。すなわち図１４の使用方法の例の場合、例えば、情報処理装置１００をウェイク−オン−ＬＡＮ起動することができるパーソナルコンピュータは、ＬＡＮコネクタＴ１に接続されたセグメント２１に接続されたパーソナルコンピュータＰＣ１のみと予め決めておく。
【００６１】
当該図１４の使用方法の例の場合、図３乃至図１２とともに上記した使用方法同様、情報処理装置１００のスタンバイ状態では、ＮＩＣ１２１は常駐電源１３１で電源が供給されて稼働され、残りの３台のＮＩＣ１２２〜１２４の各々は電源が供給されず稼働されない。また当該図１４の使用方法の例の場合、図３乃至図１２とともに上記した方法と異なり、スタンバイ状態においてもスイッチングハブ１２８に対する電源の供給は行われない。又図１４の使用方法の例の場合、スタンバイ状態においても各接続切り替えスイッチの接続は稼働状態と同様である。すなわち図１４に示す如く、接続切り替えスイッチＳＷ０はＮＩＣ１２１を接続切り替えスイッチＳＷ１に接続する。そして接続切り替えスイッチＳＷ１はＬＡＮコネクタＴ１を接続切り替えスイッチＳＷ０に接続する。そして他の３個の接続切り替えスイッチＳＷ２〜ＳＷ４の各々は、対応する３個のＬＡＮコネクタＴ２〜Ｔ４を、それぞれ対応する３台のＮＩＣ１２２〜１２４に接続する。
【００６２】
図１４の使用方法の例では上記の如く、スタンバイ状態においても各接続切り替えスイッチの接続は稼働状態と同様である。しかしながら上記の如く、情報処理装置１００をウェイク−オン−ＬＡＮ起動するＬＡＮコネクタをＬＡＮコネクタＴ１に限定しておくことで、ウェイク−オン−ＬＡＮ起動が支障なく実行される。すなわち図１４の使用方法の例では、予め情報処理装置１００をウェイク−オン−ＬＡＮ起動するＬＡＮコネクタはＬＡＮコネクタＴ１に限定されるため、マジックパケットは必ずＬＡＮコネクタＴ１に到達するはずである。その結果マジックパケットはスタンバイ状態でも常駐電源１３１で稼働中のＮＩＣ１２１に到達するはずである。したがって図３乃至図１２とともに上記した使用方法同様、ＮＩＣ１２１から電源オン信号がＭＭＢ１５０に送信され、ウェイク−オン−ＬＡＮ起動が支障なく実行される。又図１４の使用方法の例によれば、スタンバイ状態においてスイッチングハブ１２８に対し常駐電源１３１から電源を供給しない。このため図３乃至図１２とともに上記した使用方法に比し、待機電力の更なる低減効果が得られる。
【００６３】
図１５は実施例３の情報処理装置１００Ｙのブロック図を示す。
【００６４】
実施例３の情報処理装置１００Ｙは上記した実施例１の情報処理装置１００と比較すると、４台のＮＩＣ１２１〜１２４がパーティションＰａ１，Ｐａ２で分離され２台ずつ２組に分割される点が異なる。実施例１の構成要素と同様の構成要素には同一の符号を付し、重複する説明を適宜省略し、異なる点につき重点的に説明する。
【００６５】
実施例３の場合、パーティションＰａ１には２台のＮＩＣ１２１，１２２が含まれ、パーティションＰａ２には残りの２台、ＮＩＣ１２３，１２４が含まれる。上記実施例１の場合には、スタンバイ状態で、４台のＮＩＣ１２１〜１２４のいずれに対しマジックパケットが送信された場合でも、常駐電源１３１で稼働中のＮＩＣ１２１に当該マジックパケットが送られていた。これは接続切り替えスイッチＳＷ０〜ＳＷ４およびスイッチングハブ１２８による。他方実施例３の場合、パーティション毎に、常駐電源１３１で稼働されるＮＩＣが割り当てられる。図１５の構成例の場合、パーティションＰａ１に含まれる２台のＮＩＣ１２１，１２２のうち、ＮＩＣ１２１がスタンバイ状態でも常駐電源１３１により稼働される。他方残ったＮＩＣ１２２はスタンバイ状態では電源は供給されず稼働されない。同様にパーティションＰａ２に含まれる２台のＮＩＣ１２３，１２４のうち、ＮＩＣ１２３がスタンバイ状態でも常駐電源１３１により稼働される。他方残ったＮＩＣ１２４はスタンバイ状態では電源は供給されず稼働されない。
【００６６】
又実施例３の場合、パーティションＰａ１，Ｐａ２の各々に対し、当該パーティション中、常駐電源で稼働されるＮＩＣ１２１，１２３の各々用に、接続切り替えスイッチＳＷ０１，ＳＷ０２がそれぞれ設けられる。その結果実施例３の場合、図１５に示される如く、計６個の接続切り替えスイッチＳＷ０１，ＳＷ１，ＳＷ２（パーティションＰａ１用）、ＳＷ０２，ＳＷ３，ＳＷ４（パーティションＰａ２用）が設けられる。
【００６７】
そしてパーティションＰａ１では、スタンバイ状態で、接続切り替えスイッチＳＷ０１はＮＩＣ１２１をスイッチングハブ１２８Ｙに接続する。又接続切り替えスイッチＳＷ１，ＳＷ２は、それぞれ対応するＬＡＮコネクタＴ１，Ｔ２を、それぞれスイッチングハブ１２８Ｙに接続する。また当該パーティションＰａ１につき、ウェイク−オン−ＬＡＮ起動時、ＭＭＢ１５０はＮＩＣ１２１から電源オン信号を受信すると以下の動作を行う。すなわち、接続切り替えスイッチＳＷ０１にＮＩＣ１２１を接続切り替えスイッチＳＷ１に接続させる。又接続切り替えスイッチＳＷ１に、対応するＬＡＮコネクタＴ１を接続切り替えスイッチＳＷ０１に接続させる。又接続切り替えスイッチＳＷ２に、対応するＬＡＮコネクタＴ２を、対応するＮＩＣ１２２に接続させる。その結果、パーティションＰａ１に属するＮＩＣ１２１に対応するセグメント２１に接続されたパーソナルコンピュータＰＣ１は接続切り替えスイッチＳＷ１，ＳＷ０１を介しＮＩＣ１２１に接続される。またパーティションＰａ１に属するＮＩＣ１２２に対応するセグメント２２に接続されたパーソナルコンピュータＰＣ２は接続切り替えスイッチＳＷ２を介しＮＩＣ１２２に接続される。
【００６８】
同様にパーティションＰａ２につき、スタンバイ状態で、接続切り替えスイッチＳＷ０２はＮＩＣ１２３をスイッチングハブ１２８Ｙに接続する。又接続切り替えスイッチＳＷ３，ＳＷ４は、それぞれ対応するＬＡＮコネクタＴ３，Ｔ４を、それぞれスイッチングハブ１２８Ｙに接続する。他方当該パーティションＰａ２につき、ウェイク−オン−ＬＡＮ起動時、ＭＭＢ１５０はＮＩＣ１２３から電源オン信号を受信すると以下の動作を行う。すなわち、接続切り替えスイッチＳＷ０２にＮＩＣ１２３を接続切り替えスイッチＳＷ３に接続させる。又接続切り替えスイッチＳＷ３に、対応するＬＡＮコネクタＴ３を接続切り替えスイッチＳＷ０２に接続させる。又接続切り替えスイッチＳＷ４に、対応するＬＡＮコネクタＴ４を、対応するＮＩＣ１２４に接続させる。その結果、パーティションＰａ２に属するＮＩＣ１２３に対応するセグメント２３に接続されたパーソナルコンピュータＰＣ３は接続切り替えスイッチＳＷ３，ＳＷ０２を介しＮＩＣ１２３に接続される。またパーティションＰａ２に属するＮＩＣ１２４に対応するセグメント２４に接続されたパーソナルコンピュータＰＣ４は接続切り替えスイッチＳＷ４を介し、ＮＩＣ１２４に接続される。
【００６９】
ここで実施例３において、スタンバイ状態でパーティションＰａ１に含まれる２台のＮＩＣ１２１，１２２の何れか宛にマジックパケットが送信された場合の動作を説明する。当該場合、対応する２個の接続切り替えスイッチＳＷ１，ＳＷ２により、マジックパケットはスイッチングハブ１２８Ｙに送られる。スイッチングハブ１２８Ｙは図７のステップＳ３，Ｓ４と同様の判定を行う。判定の結果受信したパケットがマジックパケットであり且つパーティションＰａ１に属する２台のＮＩＣ１２１，１２２の何れか宛であれば、スイッチングハブ１２８ＹはパーティションＰａ１内で稼働中のＮＩＣ１２１に当該マジックパケットを送る。その際スイッチングハブ１２８Ｙは、マジックパケットの宛先がＮＩＣ１２１であれば宛先を変換せずに維持し、マジックパケットの宛先がＮＩＣ１２２であれば宛先をＮＩＣ１２１宛に変換する。その結果ＮＩＣ１２１は実施例１同様、マジックパケットを受信し、ウェイク−オン−ＬＡＮ起動の機能により電源オン信号をＭＭＢ１５０に送信する。
【００７０】
ＭＭＢ１５０はＮＩＣ１２１から電源オン信号を受信すると実施例１の場合同様、情報処理装置１００Ｙの各ボードの初期設定動作を開始し、情報処理装置１００Ｙの起動を開始する。そしてＭＭＢ１５０は各接続切り替えスイッチの接続を、以下の通りに切り替える。すなわちパーティションＰａ１において、接続切り替えスイッチＳＷ０１、ＳＷ１により、ＮＩＣ１２１と対応するＬＡＮコネクタＴ１とが接続される。又接続切り替えスイッチＳＷ２により、ＮＩＣ１２２と対応するＬＡＮコネクタＴ２とが接続される。他方この場合、パーティションＰａ２に含まれる接続切り替えスイッチＳＷ０２，ＳＷ３，ＳＷ４の接続は切り替えられない。またパーティションＰａ１中、スタンバイ状態で稼働されなかったＮＩＣ１２２に対し、通常電源１３２により電源が供給される。その結果パーティションＰａ１中の２台のＮＩＣ１２１、１２２が全て稼働し、かつ２個のＬＡＮコネクタＴ１、Ｔ２のそれぞれが接続切り替えスイッチＳＷ０１，ＳＷ１，ＳＷ２を介し、対応するＮＩＣ１２１、１２２に接続される。
【００７１】
したがってパーティションＰａ１に係る２個のセグメント２１、２２のいずれに接続されたパーソナルコンピュータも、対応するＮＩＣ１２１又は１２２およびバスインタフェーススイッチ１１２を介し、ＣＰＵ１１１と接続され得る。但し、他のパーティションＰａ２のＮＩＣ１２４は電源が供給されず稼働されない状態が引き続き維持される。またスイッチングハブ１２８Ｙに対する常駐電源１３１からの電源の供給は、他のパーティションＰａ２に属するＮＩＣ１２３，１２４宛のマジックパケットを受信して処理するため、引き続き維持される。
【００７２】
次に実施例３において、スタンバイ状態でパーティションＰａ２に含まれる２台のＮＩＣ１２３，１２４の何れか宛にマジックパケットが送信された場合の動作を説明する。当該場合、対応する２個の接続切り替えスイッチＳＷ３，ＳＷ４により、マジックパケットはスイッチングハブ１２８Ｙに送られる。スイッチングハブ１２８Ｙは図７のステップＳ３，Ｓ４と同様の判定を行い、受信したパケットがマジックパケットであり且つ、パーティションＰａ２に属する２台のＮＩＣ１２３，１２４の何れか宛であれば、パーティションＰａ２内で稼働中のＮＩＣ１２３に当該マジックパケットを送る。その際スイッチングハブ１２８Ｙは、マジックパケットの宛先がＮＩＣ１２３であれば宛先を変換せずに維持し、マジックパケットの宛先がＮＩＣ１２４であれば宛先をＮＩＣ１２３宛に変換する。その結果ＮＩＣ１２３は実施例１のＮＩＣ１２１同様、マジックパケットを受信し、ウェイク−オン−ＬＡＮ起動の機能により電源オン信号をＭＭＢ１５０に送信する。
【００７３】
ＭＭＢ１５０はＮＩＣ１２３から電源オン信号を受信すると実施例１の場合同様、情報処理装置１００Ｙの各ボードの初期設定動作を開始し、情報処理装置１００Ｙの起動を開始する。そしてＭＭＢ１５０は各接続切り替えスイッチの接続を以下の通りに切り替える。すなわちパーティションＰａ２において、接続切り替えスイッチＳＷ０２、ＳＷ３により、ＮＩＣ１２３と対応するＬＡＮコネクタＴ３とが接続される。又接続切り替えスイッチＳＷ４により、ＮＩＣ１２４と対応するＬＡＮコネクタＴ４とが接続される。
【００７４】
またパーティションＰａ２においてスタンバイ状態で稼働されなかったＮＩＣ１２４に対し、通常電源１３２により電源が供給される。その結果パーティションＰａ２の２台のＮＩＣ１２３，１２４が全て稼働し、かつ対応する２個のＬＡＮコネクタＴ３、Ｔ４のそれぞれが、接続切り替えスイッチＳＷ０２，ＳＷ３，ＳＷ４を介し、対応するＮＩＣ１２３，１２４に接続される。したがって、パーティションＰａ２に係る２個のセグメント２３、２４のいずれに接続されたパーソナルコンピュータも、対応するＮＩＣおよびバスインタフェーススイッチ１１２を介し、ＣＰＵ１１１と接続され得る。但し、他のパーティションＰａ１のＮＩＣ１２２については電源が供給されず稼働されない状態が引き続き維持される。またスイッチングハブ１２８Ｙに対する常駐電源１３１からの電源の供給は、他のパーティションＰａ１に属するＮＩＣ１２１，１２２宛のマジックパケットを受信して処理するため引き続き維持される。
【００７５】
次に実施例３において、パーティションＰａ１，Ｐａ２のいずれか一のパーティションに属するＮＩＣ宛の第１のマジックパケットにより情報処理装置１００Ｙがウェイク−オン−ＬＡＮ起動された状態を想定する。当該状態において更に他のパーティションに属するＮＩＣ宛の第２のマジックパケットが情報処理装置１００Ｙに到達した場合、以下の動作がなされる。すなわち当該第２のマジックパケットはスイッチングハブ１２８Ｙにより、当該他のパーティションに属する常駐電源１３１で稼働中のＮＩＣに送られる。当該ＮＩＣはマジックパケットを受信し、ウェイク−オン−ＬＡＮ起動の機能により、電源オン信号をＭＭＢ１５０に送信する。
【００７６】
ここで情報処理装置１００Ｙは上記の如く、上記した第１のマジックパケットにより既にウェイク−オン−ＬＡＮ起動済みである。そのためＭＭＢ１５０は上記した第２のマジックパケットによる電源オン信号を受信すると、他のパーティション中の接続切り替えスイッチを以下の通りに切り替える。すなわち当該他のパーティション中、接続切り替えスイッチにより、２台のＮＩＣと対応する２個のＬＡＮコネクタとがそれぞれ接続される。次にＭＭＢ１５０はスイッチングハブ１２８Ｙに対する常駐電源の供給を停止する。そしてＭＭＢ１５０は、当該他のパーティション中、常駐電源で稼働中のＮＩＣ以外のＮＩＣに対する通常電源１３２により電源の供給を開始する。その結果、２つのパーティションＰａ１，Ｐａ２の計４台のＮＩＣ１２１〜１２４のいずれもが電源の供給を受け稼働された状態となる。また接続切り替えスイッチの接続により、４台のＮＩＣ１２１〜１２４はそれぞれ対応する４個のＬＡＮコネクタＴ１〜Ｔ４に接続された状態となる。
【００７７】
実施例３の場合、パーティションＰａ１，Ｐａ２で４台のＮＩＣ１２１〜１２４が２台ずつ分割される。ここで上記の如く、２個のパーティションＰａ１，Ｐａ２のうちのいずれか一のパーティションに含まれる２台のＮＩＣのいずれか宛のマジックパケットが情報処理装置１００Ｙに対し送信された場合を想定する。当該場合上記の如く、当該マジックパケットはスイッチングハブ１２８Ｙにより、当該一のパーティション中の常駐電源１３１で稼働中のＮＩＣに送られる。すなわち、一のパーティション中のＮＩＣ宛のマジックパケットは当該一のパーティション中の稼働中のＮＩＣに送られ、他のパーティション中のＮＩＣに送られることはない。
【００７８】
その結果実施例３では、実施例１と比較すると、スタンバイ状態で常駐電源１３１で稼働されるＮＩＣはパーティション毎に１台、計２台である点で、待機電力を低減する効果が比較的劣る。しかしながら実施例３ではスタンバイ状態では計４台ＮＩＣの内の２台のみに電源を供給すれば良いため、図１の参考例に比較して、一定の待機電力の低減効果は得られる。更に実施例３の場合、パーティションによりマジックパケットの送信先が区分され、パーティションを超えて他のパーティションにマジックパケットが送信されることがないという特有の効果を有する。
【００７９】
図１６は実施例４の情報処理装置１００Ｚのブロック図を示す。
【００８０】
実施例４の情報処理装置１００Ｚでは、Ｎ台のＮＩＣ１２１〜１２ＮがＭ個のパーティションＰａ１，Ｐａ２，...，ＰａＭで分離され分割される。
【００８１】
実施例４の場合、パーティションＰａ１には２台のＮＩＣ１２１，１２２が含まれ、パーティションＰａ２には３台、ＮＩＣ１２３，１２４、１２５が含まれる。同様の構成を有するパーティションＰａ３〜ＰａＭ−１が更に設けられ、そしてパーティションＰａＭにはＮＩＣ１２Ｎ−１，１２Ｎが含まれる。実施例４の構成の場合、パーティションＰａ１に含まれる２台のＮＩＣ１２１，１２２のうち、ＮＩＣ１２１がスタンバイ状態でも常駐電源１３１により稼働される。他方残ったＮＩＣ１２２はスタンバイ状態では電源は供給されず稼働されない。同様にパーティションＰａ２に含まれる３台のＮＩＣ１２３，１２４、１２５のうち、ＮＩＣ１２３がスタンバイ状態でも常駐電源１３１により稼働される。他方残ったＮＩＣ１２４、１２５はスタンバイ状態では電源は供給されず稼働されない。他のパーティションＰａ３〜ＰａＭ−１も同様である。そしてパーティションＰａＭに含まれる２台のＮＩＣ１２Ｎ−１，１２Ｎのうち、ＮＩＣ１２Ｎ−１がスタンバイ状態でも常駐電源１３１により稼働される。他方残ったＮＩＣ１２Ｎはスタンバイ状態では電源は供給されず稼働されない。
【００８２】
又実施例４の場合、パーティションＰａ１，Ｐａ２，...，ＰａＭの各々に対し、当該パーティション中、常駐電源で稼働されるＮＩＣ１２１，１２３，...，１２Ｎの各々用に、接続切り替えスイッチＳＷ０１，ＳＷ０２，...，ＳＷ０Ｍがそれぞれ設けられる。すなわち実施例４の場合、図１６に示される如く、接続切り替えスイッチＳＷ０１，ＳＷ１，ＳＷ２（パーティションＰａ１用）、ＳＷ０２，ＳＷ３，ＳＷ４、ＳＷ５（パーティションＰａ２用）、...，ＳＷ０Ｍ，ＳＷＮ−１，ＳＷＮ（パーティションＰａＭ用）が設けられる。
【００８３】
そしてパーティションＰａ１では、スタンバイ状態で、接続切り替えスイッチＳＷ０１はＮＩＣ１２１をスイッチングハブ１２８Ｚに接続する。又接続切り替えスイッチＳＷ１，ＳＷ２は、それぞれ対応するＬＡＮコネクタＴ１，Ｔ２を、それぞれスイッチングハブ１２８Ｚに接続する。また当該パーティションＰａ１につき、ウェイク−オン−ＬＡＮ起動時、ＭＭＢ１５０はＮＩＣ１２１から電源オン信号を受信すると以下の動作を行う。すなわち、接続切り替えスイッチＳＷ０１にＮＩＣ１２１を接続切り替えスイッチＳＷ１に接続させる。又接続切り替えスイッチＳＷ１に、対応するＬＡＮコネクタＴ１を接続切り替えスイッチＳＷ０１に接続させる。又接続切り替えスイッチＳＷ２に、対応するＬＡＮコネクタＴ２を、対応するＮＩＣ１２２に接続させる。その結果、パーティションＰａ１に属するＮＩＣ１２１に対応するセグメント２１に接続されたパーソナルコンピュータＰＣ１は接続切り替えスイッチＳＷ１，ＳＷ０１を介しＮＩＣ１２１に接続される。またパーティションＰａ１に属するＮＩＣ１２２に対応するセグメント２２に接続されたパーソナルコンピュータＰＣ２は接続切り替えスイッチＳＷ２を介しＮＩＣ１２２に接続される。
【００８４】
同様にパーティションＰａ２につき、スタンバイ状態で、接続切り替えスイッチＳＷ０２はＮＩＣ１２３をスイッチングハブ１２８Ｚに接続する。又接続切り替えスイッチＳＷ３，ＳＷ４、ＳＷ５は、それぞれ対応するＬＡＮコネクタＴ３，Ｔ４Ｔ５を、それぞれスイッチングハブ１２８Ｚに接続する。他方当該パーティションＰａ２につき、ウェイク−オン−ＬＡＮ起動時、ＭＭＢ１５０はＮＩＣ１２３から電源オン信号を受信すると以下の動作を行う。すなわち、接続切り替えスイッチＳＷ０２にＮＩＣ１２３を接続切り替えスイッチＳＷ３に接続させる。又接続切り替えスイッチＳＷ３に、対応するＬＡＮコネクタＴ３を接続切り替えスイッチＳＷ０２に接続させる。又接続切り替えスイッチＳＷ４に、対応するＬＡＮコネクタＴ４を、対応するＮＩＣ１２４に接続させる。又接続切り替えスイッチＳＷ５に、対応するＬＡＮコネクタＴ５を、対応するＮＩＣ１２５に接続させる。その結果、パーティションＰａ２に属するＮＩＣ１２３に対応するセグメント２３に接続されたパーソナルコンピュータＰＣ３は接続切り替えスイッチＳＷ３，ＳＷ０２を介しＮＩＣ１２３に接続される。またパーティションＰａ２に属するＮＩＣ１２４に対応するセグメント２４に接続されたパーソナルコンピュータＰＣ４は接続切り替えスイッチＳＷ４を介し、ＮＩＣ１２４に接続される。またパーティションＰａ２に属するＮＩＣ１２５に対応するセグメント２５に接続されたパーソナルコンピュータＰＣ５は接続切り替えスイッチＳＷ５を介し、ＮＩＣ１２５に接続される。
【００８５】
以下パーティションＰａ３〜ＰａＭ−１においても同様である。そしてパーティションＰａＭにつき、スタンバイ状態で、接続切り替えスイッチＳＷ０ＭはＮＩＣ１２Ｎ−１をスイッチングハブ１２８Ｚに接続する。又接続切り替えスイッチＳＷＮ−１，ＳＷＮは、それぞれ対応するＬＡＮコネクタＴＮ−１，ＴＮを、それぞれスイッチングハブ１２８Ｚに接続する。他方当該パーティションＰａＭにつき、ウェイク−オン−ＬＡＮ起動時、ＭＭＢ１５０はＮＩＣ１２Ｎ−１から電源オン信号を受信すると以下の動作を行う。すなわち、接続切り替えスイッチＳＷ０Ｍに、ＮＩＣ１２Ｎ−１を接続切り替えスイッチＳＷＮ−１に接続させる。又接続切り替えスイッチＳＷＮ−１に、対応するＬＡＮコネクタＴＮ−１を接続切り替えスイッチＳＷ０Ｍに接続させる。又接続切り替えスイッチＳＷＮに、対応するＬＡＮコネクタＴＮを、対応するＮＩＣ１２Ｎに接続させる。その結果、パーティションＰａＭに属するＮＩＣ１２Ｎ−１に対応するセグメント２Ｎ−１に接続されたパーソナルコンピュータＰＣＮ−１は接続切り替えスイッチＳＷＮ−１，ＳＷ０Ｍを介しＮＩＣ１２Ｎ−１に接続される。またパーティションＰａＭに属するＮＩＣ１２Ｎに対応するセグメント２Ｎに接続されたパーソナルコンピュータＰＣＮは接続切り替えスイッチＳＷＮを介し、ＮＩＣ１２Ｎに接続される。
【００８６】
ここで実施例４において、スタンバイ状態でパーティションＰａ１に含まれる２台のＮＩＣ１２１，１２２の何れか宛にマジックパケットが送信された場合の動作を説明する。当該場合、対応する２個の接続切り替えスイッチＳＷ１，ＳＷ２により、マジックパケットはスイッチングハブ１２８Ｚに送られる。スイッチングハブ１２８Ｚは図７のステップＳ３，Ｓ４と同様の判定を行う。判定の結果受信したパケットがマジックパケットであり且つパーティションＰａ１に属する２台のＮＩＣ１２１，１２２の何れか宛であれば、スイッチングハブ１２８ＺはパーティションＰａ１内で稼働中のＮＩＣ１２１に当該マジックパケットを送る。その際スイッチングハブ１２８Ｚは、マジックパケットの宛先がＮＩＣ１２１であれば宛先を変換せずに維持し、マジックパケットの宛先がＮＩＣ１２２であれば宛先をＮＩＣ１２１宛に変換する。その結果ＮＩＣ１２１は実施例１同様、マジックパケットを受信し、ウェイク−オン−ＬＡＮ起動の機能により電源オン信号をＭＭＢ１５０に送信する。
【００８７】
ＭＭＢ１５０はＮＩＣ１２１から電源オン信号を受信すると情報処理装置１００Ｚの各ボードの初期設定動作を開始し、情報処理装置１００Ｚの起動を開始する。そしてＭＭＢ１５０は各接続切り替えスイッチの接続を、以下の通りに切り替える。すなわちパーティションＰａ１において、接続切り替えスイッチＳＷ０１、ＳＷ１により、ＮＩＣ１２１と対応するＬＡＮコネクタＴ１とが接続される。又接続切り替えスイッチＳＷ２により、ＮＩＣ１２２と対応するＬＡＮコネクタＴ２とが接続される。他方この場合、パーティションＰａ２に含まれる接続切り替えスイッチＳＷ０２，ＳＷ３，ＳＷ４の接続は切り替えられない。同様にパーティションＰａ３〜ＰａＭ−１の各々に含まれる接続切り替えスイッチの接続も切り替えられない。そしてパーティションＰａＭに含まれる接続切り替えスイッチＳＷ０Ｍ，ＳＷＮ−１，ＳＷＮの接続も切り替えられない。またパーティションＰａ１中、スタンバイ状態で稼働されなかったＮＩＣ１２２に対し、通常電源１３２により電源が供給される。その結果パーティションＰａ１中の２台のＮＩＣ１２１、１２２が全て稼働し、かつ２個のＬＡＮコネクタＴ１、Ｔ２のそれぞれが接続切り替えスイッチＳＷ０１，ＳＷ１，ＳＷ２を介し、対応するＮＩＣ１２１、１２２に接続される。
【００８８】
したがってパーティションＰａ１に係る２個のセグメント２１、２２のいずれに接続されたパーソナルコンピュータも、対応するＮＩＣ１２１又は１２２およびバスインタフェーススイッチ１１２を介し、ＣＰＵ１１１と接続され得る。但し、他のパーティションＰａ２のＮＩＣ１２４、１２５は電源が供給されず稼働されない状態が引き続き維持される。更に他のパーティションＰａ３〜ＰａＭ−１についても同様である。そしてパーティションＰａＭのＮＩＣ１２Ｎも電源が供給されず稼働されない状態が引き続き維持される。またスイッチングハブ１２８Ｚに対する常駐電源１３１からの電源の供給は、引き続き維持される。他のパーティションＰａ２に属するＮＩＣ１２３，１２４宛、他のパーティションＰａ３〜ＰａＭ−１に属するＮＩＣ宛、或いはパーティションＰａＭに属するＮＩＣ１２Ｎ−１，１２Ｎ宛のマジックパケットを受信して処理するためである。
【００８９】
次に実施例４において、スタンバイ状態でパーティションＰａ２に含まれる３台のＮＩＣ１２３，１２４、１２５の何れか宛にマジックパケットが送信された場合の動作を説明する。当該場合、対応する３個の接続切り替えスイッチＳＷ３，ＳＷ４、ＳＷ５により、マジックパケットはスイッチングハブ１２８Ｚに送られる。スイッチングハブ１２８Ｚは図７のステップＳ３，Ｓ４と同様の判定を行い、受信したパケットがマジックパケットであり且つ、パーティションＰａ２に属する３台のＮＩＣ１２３，１２４、１２５の何れか宛であれば、パーティションＰａ２内で稼働中のＮＩＣ１２３に当該マジックパケットを送る。その際スイッチングハブ１２８Ｚは、マジックパケットの宛先がＮＩＣ１２３であれば宛先を変換せずに維持し、マジックパケットの宛先がＮＩＣ１２４であれば宛先をＮＩＣ１２３宛に変換し、同様にマジックパケットの宛先がＮＩＣ１２５であれば宛先をＮＩＣ１２３宛に変換する。その結果ＮＩＣ１２３はマジックパケットを受信し、ウェイク−オン−ＬＡＮ起動の機能により電源オン信号をＭＭＢ１５０に送信する。
【００９０】
ＭＭＢ１５０はＮＩＣ１２３から電源オン信号を受信すると情報処理装置１００Ｚの各ボードの初期設定動作を開始し、情報処理装置１００Ｚの起動を開始する。そしてＭＭＢ１５０は各接続切り替えスイッチの接続を以下の通りに切り替える。すなわちパーティションＰａ２において、接続切り替えスイッチＳＷ０２、ＳＷ３により、ＮＩＣ１２３と対応するＬＡＮコネクタＴ３とが接続される。又接続切り替えスイッチＳＷ４により、ＮＩＣ１２４と対応するＬＡＮコネクタＴ４とが接続される。同様に接続切り替えスイッチＳＷ５により、ＮＩＣ１２５と対応するＬＡＮコネクタＴ５とが接続される。
【００９１】
またパーティションＰａ２においてスタンバイ状態で稼働されなかったＮＩＣ１２４、１２５に対し、通常電源１３２により電源が供給される。その結果パーティションＰａ２の３台のＮＩＣ１２３，１２４、１２５が全て稼働し、かつ対応する３個のＬＡＮコネクタＴ３、Ｔ４、Ｔ５のそれぞれが、接続切り替えスイッチＳＷ０２，ＳＷ３，ＳＷ４、ＳＷ５を介し、対応するＮＩＣ１２３，１２４、１２５に接続される。したがって、パーティションＰａ２に係る３個のセグメント２３、２４、２５のいずれに接続されたパーソナルコンピュータも、対応するＮＩＣおよびバスインタフェーススイッチ１１２を介し、ＣＰＵ１１１と接続され得る。但し、他のパーティションＰａ１のＮＩＣ１２２については電源が供給されず稼働されない状態が引き続き維持される。更に他のパーティションＰａ３〜ＰａＭ−１についても同様である。そしてパーティションＰａＭのＮＩＣ１２Ｎも電源が供給されず稼働されない状態が引き続き維持される。またスイッチングハブ１２８Ｚに対する常駐電源１３１からの電源の供給は、他のパーティションＰａ１、Ｐａ３〜ＰａＭに属するＮＩＣ宛のマジックパケットを受信して処理するため引き続き維持される。
【００９２】
実施例４において、スタンバイ状態で更に他のパーティションＰａ３〜ＰａＭ−１のいずれかに含まれるＮＩＣの何れか宛にマジックパケットが送信された場合の動作も同様である。そしてスタンバイ状態でパーティションＰａＭに含まれる２台のＮＩＣ１２Ｎ−１，１２Ｎの何れか宛にマジックパケットが送信された場合の動作は以下の通りである。当該場合、対応する２個の接続切り替えスイッチＳＷＮ−１、ＳＷＮにより、マジックパケットはスイッチングハブ１２８Ｚに送られる。スイッチングハブ１２８Ｚは図７のステップＳ３，Ｓ４と同様の判定を行い、受信したパケットがマジックパケットであり且つ、パーティションＰａＭに属する２台のＮＩＣ１２Ｎ−１，１２Ｎの何れか宛であれば、パーティションＰａＭ内で稼働中のＮＩＣ１２Ｎ−１に当該マジックパケットを送る。その際スイッチングハブ１２８Ｚは、マジックパケットの宛先がＮＩＣ１２Ｎ−１であれば宛先を変換せずに維持し、マジックパケットの宛先がＮＩＣ１２Ｎであれば宛先をＮＩＣ１２Ｎ−１宛に変換する。その結果ＮＩＣ１２Ｎ−１はマジックパケットを受信し、ウェイク−オン−ＬＡＮ起動の機能により電源オン信号をＭＭＢ１５０に送信する。
【００９３】
ＭＭＢ１５０はＮＩＣ１２Ｎ−１から電源オン信号を受信すると情報処理装置１００Ｚの各ボードの初期設定動作を開始し、情報処理装置１００Ｚの起動を開始する。そしてＭＭＢ１５０は各接続切り替えスイッチの接続を以下の通りに切り替える。すなわちパーティションＰａＭにおいて、接続切り替えスイッチＳＷ０Ｍ、ＳＷＮ−１により、ＮＩＣ１２Ｎ−１と対応するＬＡＮコネクタＴＮ−１とが接続される。又接続切り替えスイッチＳＷＮにより、ＮＩＣ１２Ｎと対応するＬＡＮコネクタＴＮとが接続される。
【００９４】
またパーティションＰａＭにおいてスタンバイ状態で稼働されなかったＮＩＣ１２Ｎに対し、通常電源１３２により電源が供給される。その結果パーティションＰａ２の２台のＮＩＣ１２Ｎ−１，１２Ｎが全て稼働し、かつ対応する２個のＬＡＮコネクタＴＮ−１、ＴＮのそれぞれが、接続切り替えスイッチＳＷ０Ｍ，ＳＷＮ−１，ＳＷＮを介し、対応するＮＩＣ１２Ｎ−１，１２Ｎに接続される。したがって、パーティションＰａＭに係る２個のセグメント２Ｎ−１、２Ｎのいずれに接続されたパーソナルコンピュータも、対応するＮＩＣおよびバスインタフェーススイッチ１１２を介し、ＣＰＵ１１１と接続され得る。但し、他のパーティションＰａ１のＮＩＣ１２２については電源が供給されず稼働されない状態が引き続き維持される。更に他のパーティションＰａ２〜ＰａＭ−１についても同様である。またスイッチングハブ１２８Ｚに対する常駐電源１３１からの電源の供給は、他のパーティションＰａ１〜ＰａＭ−１に属するＮＩＣ宛のマジックパケットを受信して処理するため引き続き維持される。
【００９５】
次に実施例４において、パーティションＰａ１，Ｐａ２，...，ＰａＭのいずれか一のパーティションに属するＮＩＣ宛の第１のマジックパケットにより情報処理装置１００Ｚがウェイク−オン−ＬＡＮ起動された状態を想定する。当該状態において更に他のパーティションに属するＮＩＣ宛の第２のマジックパケットが情報処理装置１００Ｚに到達した場合、以下の動作がなされる。すなわち当該第２のマジックパケットはスイッチングハブ１２８Ｚにより、当該他のパーティションに属する常駐電源１３１で稼働中のＮＩＣに送られる。当該ＮＩＣはマジックパケットを受信し、ウェイク−オン−ＬＡＮ起動の機能により、電源オン信号をＭＭＢ１５０に送信する。
【００９６】
ここで情報処理装置１００Ｚは上記の如く、上記した第１のマジックパケットにより既にウェイク−オン−ＬＡＮ起動済みである。そのためＭＭＢ１５０は上記した第２のマジックパケットによる電源オン信号を受信すると、上記他のパーティション中の接続切り替えスイッチを以下の通りに切り替える。すなわち当該他のパーティション中、接続切り替えスイッチにより、各ＮＩＣと、対応するそれぞれのＬＡＮコネクタとがそれぞれ接続される。次にＭＭＢ１５０はスイッチングハブ１２８Ｚに対する常駐電源の供給を停止する。そしてＭＭＢ１５０は、当該他のパーティション中、常駐電源で稼働中のＮＩＣ以外のＮＩＣに対する通常電源１３２により電源の供給を開始する。その結果、上記２つのパーティションの各々に属するそれぞれＮＩＣのいずれもが電源の供給を受け稼働された状態となる。上記２つのパーティションは、第１のマジックパケットの宛先のＮＩＣが属するパーティションと第２のマジックパケットの宛先のＮＩＣが属するパーティションとを含む。また接続切り替えスイッチの接続により、上記２つのパーティションに属する各ＮＩＣはそれぞれ対応するＬＡＮコネクタに接続された状態となる。更に当該状態において、更に他のパーティションに属するＮＩＣ宛の第３のマジックパケットが情報処理装置１００Ｚに到達した場合、以下の動作がなされる。
【００９７】
すなわち当該第３のマジックパケットはスイッチングハブ１２８Ｚにより、当該更に他のパーティションに属する常駐電源１３１で稼働中のＮＩＣに送られる。当該ＮＩＣはマジックパケットを受信し、ウェイク−オン−ＬＡＮ起動の機能により、電源オン信号をＭＭＢ１５０に送信する。
【００９８】
ここで情報処理装置１００Ｚは上記の如く、上記した第１のマジックパケットにより既にウェイク−オン−ＬＡＮ起動済みである。そのためＭＭＢ１５０は上記した第３のマジックパケットによる電源オン信号を受信すると、上記更に他のパーティション中の接続切り替えスイッチを以下の通りに切り替える。すなわち当該更に他のパーティション中、接続切り替えスイッチにより、各ＮＩＣと、対応するそれぞれのＬＡＮコネクタとがそれぞれ接続される。次にＭＭＢ１５０はスイッチングハブ１２８Ｚに対する常駐電源の供給を停止する。そしてＭＭＢ１５０は、当該更に他のパーティション中、常駐電源で稼働中のＮＩＣ以外のＮＩＣに対する通常電源１３２により電源の供給を開始する。その結果、上記３つのパーティションの各々に属するそれぞれＮＩＣのいずれもが電源の供給を受け稼働された状態となる。上記３つのパーティションは、第１のマジックパケットの宛先のＮＩＣが属するパーティションと、第２のマジックパケットの宛先のＮＩＣが属する他のパーティションと、第３のマジックパケットの宛先のＮＩＣが属する更に他のパーティションとを含む。そして更に、第３のマジックパケットの宛先のＮＩＣが属する、更に他のパーティションをも含む。また接続切り替えスイッチの接続により、上記３つのパーティションに属する各ＮＩＣはそれぞれ対応するＬＡＮコネクタに接続された状態となる。更に当該状態において、更に他のもう一つのパーティションに属するＮＩＣ宛の第４のマジックパケットが情報処理装置１００Ｚに到達した場合も同様の動作がなされる。
【００９９】
実施例４の場合、パーティションＰａ１，Ｐａ２，...，ＰａＭで複数のＮＩＣが分割される。ここで上記の如く、Ｍ個のパーティションＰａ１，Ｐａ２，...，ＰａＭのうちのいずれか一のパーティションに含まれるＮＩＣのいずれか宛のマジックパケットが情報処理装置１００Ｚに対し送信された場合を想定する。当該場合上記の如く、当該マジックパケットはスイッチングハブ１２８Ｚにより、当該一のパーティション中の常駐電源１３１で稼働中のＮＩＣに送られる。すなわち、一のパーティション中のＮＩＣ宛のマジックパケットは当該一のパーティション中の稼働中のＮＩＣに送られ、他のパーティション中のＮＩＣに送られることはない。
【０１００】
その結果実施例４では、実施例３の場合同様、スタンバイ状態ではＭ台のＮＩＣのみに電源を供給すれば良いため、図１の参考例に比較して、一定の待機電力の低減効果は得られる。更に実施例４の場合、Ｍ個のパーティションによりマジックパケットの送信先が区分され、パーティションを超えて他のパーティションにマジックパケットが送信されることがないという特有の効果を有する。
【０１０１】
次に図１７とともに、図１３に示す実施例において、スイッチングハブの代わりにスイッチングハブ群を使用する例について説明する。
【０１０２】
図１３に示す実施例においては、スイッチングハブ１２８Ｘのポート数はＮ＋１個になる。ここでＮが大きくなるとスイッチングハブ１２８Ｘのポート数が多数となり、多数のポートを有するスイッチングハブを使用することが現実的ではない場合が生じ得る。そこでＮが大きくなりスイッチングハブ１２８Ｘのポート数が多数となる場合、スイッチングハブ１２８Ｘをスイッチングハブ群１２８ＸＸで置き換えることが可能である。図１７はＮが７の場合、すなわち必要なポート数が８個の場合の当該スイッチングハブ群１２８ＸＸの構成例を示す。
【０１０３】
図１７に示すスイッチングハブ群１２８ＸＸは２個のスイッチングハブ１２８−１，１２８−２を有し、各々のスイッチングハブのポート数は５であり、各々のスイッチングハブはたとえば図５に示す如くの構成を有する。この場合図１７に示す如く、図１３中、接続切り替えスイッチＳＷ０、ＳＷ１，ＳＷ２，ＳＷ３およびスイッチングハブ１２８−２がスイッチングハブ１２８−１に接続される。又スイッチングハブ１２８−２には、スイッチングハブ１２８−１，接続切り替えスイッチＳＷ４，ＳＷ５，ＳＷ６，ＳＷ７が接続される。それぞれのスイッチングハブ１２８−１，１２８−２はＭＭＢ１５０の制御下、２個のスイッチングハブ１２８−１，１２８−２が協働してスイッチングハブ群１２８ＸＸとして図１３に示すスイッチングハブ１２８Ｘと同様の機能を果たす。
【０１０４】
ここで、図１７に示すスイッチングハブ群１２８ＸＸは２個のスイッチングハブ１２８−１，１２８−２を有する構成であったが、当該構成に限られず、３個以上のスイッチングハブを有するスイッチングハブ群を使用することも可能である。その場合も図１７の場合同様、スイッチングハブ群に含まれるそれぞれのスイッチングハブが協働してＭＭＢ１５０の制御下、それぞれのスイッチングハブが協働して図１３に示すスイッチングハブ１２８Ｘと同様の機能を果たす。更に図１６の実施例においても図１３の実施例の場合同様、スイッチングハブ１２８Ｚを、２個以上のスイッチングハブを有するスイッチングハブ群の構成に置き換えることが可能である。
【符号の説明】
【０１０５】
１〜９，ＰＣ１〜ＰＣ５，...，ＰＣＮ−１，ＰＣＮ  パーソナルコンピュータ
２１〜２５，...，２Ｎ−１，２Ｎ  セグメント
１００、１００Ｘ，１００Ｙ、１００Ｚ  情報処理装置
１１１  ＣＰＵ
１２１〜１２５，...，１２Ｎ−１，１２Ｎ  ＮＩＣ
１２８、１２８Ｘ，１２８Ｙ、１２８Ｚ，１２８ＸＸ  スイッチングハブ
１３１  常駐電源
１３２  通常電源
１５０  ＭＭＢ
ＳＷ０〜ＳＷ５，...，ＳＷＮ−１，ＳＷＮ、ＳＷ０１，ＳＷ０２，...，ＳＷＭ  接続切り替えスイッチ
Ｔ１〜Ｔ５，...，ＴＮ−１、ＴＮ  ＬＡＮコネクタ
【図１】
2010137112.tif 000003
【図２】
2010137112.tif 000004
【図３】
2010137112.tif 000005
【図４】
2010137112.tif 000006
【図５】
2010137112.tif 000007
【図６】
2010137112.tif 000008
【図７】
2010137112.tif 000009
【図８】
2010137112.tif 000010
【図９】
2010137112.tif 000011
【図１０】
2010137112.tif 000012
【図１１】
2010137112.tif 000013
【図１２】
2010137112.tif 000014
【図１３】
2010137112.tif 000015
【図１４】
2010137112.tif 000016
【図１５】
2010137112.tif 000017
【図１６】
2010137112.tif 000018
【図１７】
2010137112.tif 000019
【国際調査報告】
2010137112.tif 000020
2010137112.tif 000021